(57)【特許請求の範囲】
【請求項１】
チャック本体を被取付体に対してチャック取付ボルトにより締付けて取付けるようにしてあるチャックにおいて、チャック本体の取付部に、チャック取付ボルトの頭部を収容可能な幅広部とチャック取付ボルトのねじ部直径より僅かに大きい幅狭部とからなり、幅狭部の一端にチャック取付ボルトの頭部を嵌め込み可能な大径端を備えている３つの円弧状長孔のチャック取付ボルト挿通孔を円周方向に等間隔に設け、それらのチャック取付ボルト挿通孔のチャック取付ボルト抜け出し方向側に、チャック取付ボルト挿通孔に挿通したチャック取付ボルトの頭部が抜け出し方向へ移動するのを阻止する抜止部を夫々設けると共に、チャック取付ボルトの頭部より幅が狭くてチャック取付ボルトの回動操作用孔の最大径より僅かに大きい透孔を夫々設け、チャック取付ボルトを緩めてジャッキアップしたチャック本体を回動させてチャック本体を取り外すようにしたことを特徴とするチャック。
【請求項２】
チャック本体の取付部に、チャック取付ボルト挿通孔のチャック取付ボルト抜け出し方向側を覆うカバーを固定し、そのカバーにチャック取付ボルトの頭部より幅が狭くてチャック取付ボルトの回動操作用孔の最大径より僅かに幅が大きい円弧状長孔の透孔を夫々チャック取付ボルト挿通孔と重なるように設け、カバーによってチャック取付ボルトの頭部が抜け出し方向へ移動するのを阻止する抜止部を構成したことを特徴とする請求項１記載のチャック。
【発明の詳細な説明】
【０００１】
【発明の属する技術分野】
この発明は、チャック本体を被取付体に対して締め付けて取付けるようにしてあるチャックに関し、詳しくは、チャック本体に設けたチャック取付ボルトを緩めてチャック本体を取り外す際にチャック本体を被取付体から容易に分離できるようにしたチャックに関する。
【０００２】
【従来の技術】
従来のチャックを図１を参照して説明する。チャック本体１は被取付体２を介して旋盤の主軸３に取付けられるようになっている。チャック本体１の被取付体２への取付は、旋盤の主軸３にボルト４により螺着される被取付体であるチャックアダプタ２の前面に設けられたテーパ状凹部６に、チャック本体１の後面から突出するマンドレルボデー７後部のテーパ状凸部１２を嵌合し、チャック本体１後面をチャックアダプタ２前面に当接させた状態で、チャック本体１の取付部３２のボルト挿通孔３３に挿通したチャック取付ボルト３４を締め付けることでチャック本体１がチャックアダプタ２に取り付くようになっている。
【０００３】
【発明が解決しようとする課題】
前記従来のチャックでは、チャック本体をチャックアダプタに取付ボルトを締め付けて取り付けた際に、テーパ状凹部とテーパ状凸部とが互いに食い付き、チャックの交換のときにチャック本体を素早く取り外すことができず、段取替えの効率が悪かった。また、チャック本体が食い付いているので、チャック本体を取り外すために大きな力が必要であった。
本願発明の課題は、被取付体に装着したチャック本体を容易に取外しできるようにすることである。
【０００４】
【課題を解決するための手段】
前記課題を解決するために、本願発明は、チャック本体を被取付体に対してチャック取付ボルトにより締付けて取付けるようにしてあるチャックにおいて、チャック本体の取付部に、チャック取付ボルトの頭部を収容可能な幅広部とチャック取付ボルトのねじ部直径より僅かに大きい幅狭部とからなり、幅狭部の一端にチャック取付ボルトの頭部を嵌め込み可能な大径端を備えている３つの円弧状長孔のチャック取付ボルト挿通孔を円周方向に等間隔に設け、それらのチャック取付ボルト挿通孔のチャック取付ボルト抜け出し方向側に、チャック取付ボルト挿通孔に挿通したチャック取付ボルトの頭部が抜け出し方向へ移動するのを阻止する抜止部を夫々設けると共に、チャック取付ボルトの頭部より幅が狭くてチャック取付ボルトの回動操作用孔の最大径より僅かに大きい透孔を夫々設け、チャック取付ボルトを緩めてジャッキアップしたチャック本体を回動させてチャック本体を取り外すようにしたことを特徴とする（請求項１）。
【０００５】
また、本願発明は、チャック本体に、チャック取付ボルト挿通孔のチャック取付ボルト抜け出し方向側を覆うカバーを固定し、そのカバーにチャック取付ボルトの頭部より幅が狭くてチャック取付ボルトの回動操作用孔の最大径より僅かに幅が大きい円弧状長孔の透孔を夫々チャック取付ボルト挿通孔と重なるように設け、カバーによってチャック取付ボルトの頭部が抜け出し方向へ移動するのを阻止する抜止部を構成したことを特徴とする（請求項２）。
【０００６】
【発明の実施の形態】
次に、本願発明の実施の形態を図１から図３により説明する。チャックはワークＷの内径をコレット１１により把持するコレットチャックであり、チャック本体１が被取付体であるチャックアダプタ２を介して切削加工機である旋盤の主軸３に固定されている。チャックアダプタ２は旋盤の主軸３にボルト４で固定され、前面にテーパ状凹部６が形成されている。チャック本体１はマンドレルボデー７とワークロケータ８とチャックボディ９とプランジャー１０とコレット１１とから構成されている。
【０００７】
マンドレルボデー７は、チャックアダプタ２のテーパ状凹部６に嵌合するテーパ状凸部１２とテーパ状凸部１２の中心から前方に突設された筒部１３とから形成されており、筒部１３の先端部分はテーパ面１４に形成されている。マンドレルボデー７は、テーパ状凸部１２がチャックボディ９の後面にボルト１６で連結され、筒部１３がチャックボディ９内を挿通してチャックボディ９前面にボルト１８により取付けられているワーク着座用のワークロケータ８を貫通している。また、マンドレルボデー７の筒部１３外周にはワークＷの内径を把持するコレット１１が摺動可能に嵌合され、マンドレルボデー７の後側にはガイド孔１９が設けられ、そのガイド孔１９にプランジャー１０前部の小径軸部２０が摺動自在に挿入されている。
【０００８】
コレット１１は前端のワークＷ内径を把持する把持部２１と後端のフランジ部２２と中間の薄肉部２３とから構成され、把持部２１と薄肉部２３とは複数に切割されている。把持部２１の内周面はマンドレルボデー７先端のテーパ面１４と摺動可能なテーパ状円弧面２４に形成されている。また、フランジ部２２の中心にはマンドレルボデー７の筒部１３外周面に摺動可能に案内される中心孔２５が設けられており、フランジ部２２はプランジャー１０の連結部２６にテーパ状凸部１２を貫通するスペーサ２７を介してボルト２８により連結されている。
【０００９】
プランジャー１０の後側中心には大径軸部２９が突設されており、大径軸部２９はチャックアダプタ２の中心孔１５を貫通している。大径軸部２９の内周には複数の掛止片３０が形成され、掛止片３０には主軸３に挿通されたコネクチングロッド３１の先端部が噛合わされ、コネクチングロッド３１を介してプランジャー１０が図示しない回転シリンダに連結されている。プランジャー１０は回転シリンダの作用によりコレット１１と一体に進退し、プランジャー１０を後退させると把持部２１がテーパ面１４により薄肉部２３の弾性に抗して拡開してワークＷを把持芯出しし、また、前進させると薄肉部２３の弾性で把持部２１が閉じてワークＷを開放するようになっている。尚、マンドレルボデー７とプランジャー１０との間には、プランジャー１０をマンドレルボデー７に対して後方に付勢し、把持部２１を拡開方向（ワーク把持方向）に付勢するスプリング１７が介装されている。
【００１０】
図２に示すようにチャックボディ９の取付部３２には円弧状の３つの長孔３３が円周方向に等角度で形成されている。これらの長孔３３はジャッキボルトを兼ねているチャック取付ボルト３４が回転可能に挿通されるチャック取付ボルト挿通孔（ジャッキボルト挿通孔も意味する）であり、チャック取付ボルト３４の頭部を収容可能な大きさに形成された幅広部３３ａとチャック取付ボルト３４のねじ部直径より僅かに大きい幅狭部３３ｂとからなり、幅狭部３３ｂの一端はチャック取付ボルト３４の頭部を嵌め込み可能な大径端３３ｃに形成されている。大径端３３ｃは、チャック本体１をチャックアダプタ２に取付けるときに、チャックアダプタ２に螺着したチャック取付ボルト３４の頭部に嵌めこまれ、チャック本体１を回動して、他端の反対端３３ｄをチャック取付ボルト３４のねじ部に位置決めし、この状態でチャック取付ボルト３４を締め付けて、チャック本体１を回転軸線周りの所定位相でチャックアダプタ２に取付けるようになっている。この取付状態で反対端３３ｄ側の幅広部３３ａはチャック取付ボルト３４の頭部を収容する収容孔となる。取付部３２の前面にはチャック取付ボルト３４の抜け出し方向（チャック回転軸線方向と同一方向）への抜け出しを阻止する抜止部となるカバー３６がビス３７により固定されている。カバー３６にはチャック取付ボルト３４の頭部より幅が狭くチャック取付ボルト３４の六角孔の最大径より僅かに大きい３つの透孔３８が長孔３３と重なるように形成されており、この透孔３８からレンチ等の工具Ｔが挿入されてチャック取付ボルト３４が操作される。
【００１１】
ワークロケータ８の前面には着座確認孔３９が円周方向に等間隔で３つ形成されている。着座確認孔３９はワークロケータ８のエア通路４０とチャックボディ９のエア通路４１とチャックアダプタ２のエア通路４２とが連通しており、エア通路４２には主軸３のエア通路４３を介して図示しないエア回路に連通し、エア回路の検出手段によりワークＷの着座が確認されるようになっている。また、エア通路４２のチャック本体１側の連通孔４４はチャック本体１が所定位相からずれた位置（図２の取付状態から左方向に位相がずれた位置）でチャックアダプタ２に取付けられたときに長孔３３と連通してエアが外気に逃げるようになっており、この状態でワークＷが着座されても検出手段により着座が確認されず、チャックの取付異常が確認できるようになっている。
【００１２】
チャックの交換の際にチャック本体１をチャックアダプタ２から外すときには、チャック取付ボルト３４はジャッキボルトとなり、図３に示すように透孔３８から差し込んだ工具Ｔでチャック取付ボルト３４を緩めていくと、チャック取付ボルト３４の頭部がカバー３６に当接した状態で、チャック本体１をチャックアダプタ２からジャッキアップし、テーパ状凹部６からテーパ状凸部１２が離れる。そして、テーパ状凸部１２がテーパ状凹部６から離れたら、チャック本体１をチャックアダプタ２に取付けたときとは反対方向に回動し、大径端３３ｃをチャック取付ボルト３４から外してチャック本体１をチャックアダプタ２から取り外す。このようにチャック取付ボルト３４を緩めることで、チャック取付ボルト３４の頭部がカバー３６へ当接した状態でチャック取付ボルト３４のチャック回転軸線方向への移動によって、チャック本体１がチャックアダプタ２からジャッキアップされてチャックアダプタ２から離れるので、チャック本体１がチャックアダプタ２に食い付いていても、小さい力で容易にチャック本体１をチャックアダプタ２から取り外すことができる。
【００１３】
次に他の実施の形態を説明する。前記実施の形態と同一部分には同一の符号を付けて説明を省略する。図４に示すようにチャックボディ９の取付部３２にはチャック半径方向に開口するボルト挿通孔４５が形成され、このボルト挿通孔４５はＵ形のボルト頭部収容孔４５ａとＵ形のねじ部収容孔４５ｂとから形成されており、チャック取付ボルト３４がチャック半径方向から挿入されるようになっている。また、ボルト挿通孔４５のチャック回転軸線方向には抜止部４６がチャックボディ９に一体形成され、抜止部４６にはチャック取付ボルト３４の頭部直径より小径で六角孔の最大径より僅かに大きいボルト操作孔（透孔）４７が穿設されている。チャックの交換の際には、ボルト操作孔４７から工具Ｔを挿入してチャック取付ボルト３４を緩めていくと、チャック取付ボルト３４の頭部が抜止部４６へ当接した状態でチャック取付ボルト３４が図４の右方向に移動し、チャック本体１をチャックアダプタ２からジャッキアップするのでチャック本体１の取り外しが容易となる。
【００１４】
尚、チャック取付ボルトの頭部を挿通孔の収容孔内に収容するようになっているが、抜止部によりチャック取付ボルトの軸線方向移動が規制されていれば、頭部は挿通孔から突出していても良い。また、本発明はワークの内径を把握するタイプのチャックのみに限定されるものではなく、外形を把握する三つ爪チャックやフィンガーチャック等、各種タイプのチャックに適用することができる。その他、本発明の趣旨を逸脱しない範囲で、チャック各部の形状並びに構成を適宜に変更して実施することも可能である。
【００１５】
【発明の効果】
以上のように本願発明では、チャック本体の取付部に３つの円弧状長孔のチャック取付ボルト挿通孔を円周方向に等間隔に設け、それらのチャック取付ボルト挿通孔のチャック取付ボルト抜け出し方向側に、チャック取付ボルト挿通孔に挿通したチャック取付ボルトの頭部が抜け出し方向へ移動するのを阻止する抜止部を夫々設けると共に、チャック取付ボルトの頭部より幅が狭くてチャック取付ボルトの回動操作用孔の最大径より僅かに大きい透孔を夫々設け、チャック取付ボルトを緩めてジャッキアップしたチャック本体を回動させてチャック本体を取り外すようにしたので、チャック取付ボルトの回転によりチャック本体をジャッキアップできて被取付体から離すことができ、チャック本体と被取付体とが食い付いている場合でもチャック本体を小さな力で容易に取り外すことができ、チャックを素早く交換できて段取替えの効率を良くできる。また、チャック本体を被取付体に取付けるためのチャック取付ボルトを緩めることで、チャック本体を被取付体に対してジャッキアップすることができ、しかも、チャック本体を回動させてチャック取付ボルト挿通孔の大径端をチャック取付ボルトから外すことで、チャック本体を被取付体から取り外すことができる。
【図面の簡単な説明】
【図１】チャックの断面図である。
【図２】図１のII−II線断面図である。
【図３】チャック取付ボルトの作用を示す図１の部分断面図である。
【図４】他の実施の形態である。
【符号の説明】
１  チャック本体
２  チャックアダプタ（被取付体）
３２  取付部
３４  チャック取付ボルト（ジャッキボルト）
３３，４５  チャック取付ボルト挿通孔（ジャッキボルト挿通孔）
３６，４６  抜止部
【図１】
0003922410.tif 000002
【図２】
0003922410.tif 000003
【図３】
0003922410.tif 000004
【図４】
0003922410.tif 000005